(57)【要約】【課題】  映像反射体を騷音及び震動発生なくチルティング駆動させることができ、製造原価を節減することができ、単品に対する性能差がない均一なチルティング特性を得ることができる、チルティング部材とこれを有するチルティングアクチュエータを提供すること。【解決手段】  内部空間を有するベース、上記ベース内に微細にチルティング運動ができるように配置され、上部面に映像反射体が搭載されるチルティング部、及び上記チルティング部内に水平に具備されるトーション部を中心として上記反射体ホルダー部を左右へ微細にチルティング運動させることができるように上記反射体ホルダー部に外力を提供するチルティング駆動部を備えた。【選択図】  図３
2006313301.tif 000002
【特許請求の範囲】
【請求項１】
所定の大きさの開口部が少なくとも一つ形成されたホルダー支持部、
上記開口部から延長されて繋がったトーション部、および
上記トーション部を通してホルダー支持部と繋がり、上記トーション部を中心にチルティング運動をする反射体ホルダー部
を備えるチルティング部材。
【請求項２】
上記トーション部は、
上記反射体ホルダー部の下面に一体に具備される中央固定本体と、
上記中央固定本体の左右両端から水平方向へ延長され、上記開口部の内部面に一体に連結される左右翼と
を有することを特徴とする請求項１に記載のチルティング部材。
【請求項３】
上記中央固定本体は、上記左右翼の幅より広い幅で具備されることを特徴とする請求項２に記載のチルティング部材。
【請求項４】
上記左右翼は、上記ホルダー支持部の板厚と互いに異なった大きさで具備されることを特徴とする請求項２に記載のチルティング部材。
【請求項５】
上記中央固定本体は上記ホルダー支持部と上記反射体ホルダー部の間に所定大きさの間隔が形成できるように、上記ホルダー支持部の板厚より大きい大きさで具備されることを特徴とする請求項２に記載のチルティング部材。
【請求項６】
上記ホルダー支持部と上記反射体ホルダー部は、上記トーション部を媒介にして互いに異なった平面上に配置されることを特徴とする請求項２に記載のチルティング部材。
【請求項７】
上記ホルダー支持部と上記反射体ホルダー部間との間隔は、上記トーション部の中央固定本体の厚みによって規制されることを特徴とする請求項６に記載のチルティング部材。
【請求項８】
上記トーション部は、上記反射体ホルダー部の左右外部面から水平に延長され、上記ホルダー支持部の開口部に繋がることを特徴とする請求項１に記載のチルティング部材。
【請求項９】
上記ホルダー支持部、上記トーション部及び上記反射体ホルダー部は互いに等しい平面上に配置されることを特徴とする請求項８に記載のチルティング部材。
【請求項１０】
上記ホルダー支持部と上記反射体ホルダー部間との間隔は、上記トーション部の長さによって規制されることを特徴とする請求項９に記載のチルティング部材。
【請求項１１】
上記反射体ホルダー部は、上部面に映像反射体を搭載することを特徴とする請求項１に記載のチルティング部材。
【請求項１２】
ホルダー支持部、
上記ホルダー支持部の上側または下側に繋がるトーション部、及び
上記トーション部を左右両側に一体に備え、上記トーション部を中心としてチルティング運動をする反射体ホルダー部を含むチルティング部材。
【請求項１３】
上記トーション部は、上記ホルダー支持部に固定される外部固定本体と、上記外部固定本体と反射体ホルダー部の左右両端の間を一体に連結する外部ネック部とを備えることを特徴とする請求項１２に記載のチルティング部材。
【請求項１４】
上記外部固定本体は、上記ホルダー支持部に形成された固定ピンに挿入される固定孔を備えることを特徴とする請求項１３に記載のチルティング部材。
【請求項１５】
上記固定孔の左右両側には上記ホルダー支持部の下部の締結孔と一致する上部の締結孔を備えることを特徴とする請求項１４に記載のチルティング部材。
【請求項１６】
上記固定孔は、上記外部ネック部とほぼ同一な水平線に配置されることを特徴とする請求項１４に記載のチルティング部材。
【請求項１７】
上記トーション部は、上記反射体ホルダー部の上部面に開口されたトーション露出部に配置され、上記ホルダー支持部に固定される内部固定本体と、上記内部固定本体とトーション露出部の間を一体に連結する内部ネック部とを構成することを特徴とする請求項１２に記載のチルティング部材。
【請求項１８】
上記内部固定本体は、上記ホルダー支持部に形成された固定ピンに挿入される固定孔を備えることを特徴とする請求項１７に記載のチルティング部材。
【請求項１９】
上記固定孔の左右両側には上記ホルダー支持部の下部締結孔と一致する上部締結孔を備えることを特徴とする請求項１８に記載のチルティング部材。
【請求項２０】
上記固定孔は上記内部ネック部とほぼ同一な水平線に配置されることを特徴とする請求項１６に記載のチルティング部材。
【請求項２１】
上記トーション露出部は上記内部固定本体とほぼ同一な形状で具備されることを特徴とする請求項１７に記載のチルティング部材。
【請求項２２】
上記ホルダー支持部は上記反射体ホルダー部と対応する本体に所定大きさの開口部を少なくとも一つ備えることを特徴とする請求項１２に記載のチルティング部材。
【請求項２３】
上記反射体ホルダー部は、上部面に映像反射体を搭載することを特徴とする請求項１２に記載のチルティング部材。
【請求項２４】
内部空間を有するベース、
上記ベース内に微細にチルティング運動ができるように配置され、上部面に映像反射体が搭載されるチルティング部、および
上記チルティング部内に水平に具備されるトーション部を中心として上記反射体ホルダー部を左右へと微細にチルティング運動させることができるように、上記反射体ホルダー部へ外力を提供するチルティング駆動部を含むチルティングアクチュエータ。
【請求項２５】
上記チルティング部は、
所定大きさの開口部が少なくとも一つ形成されたホルダー支持部、
上記開口部から延長されて繋がったトーション部、および
上記トーション部を通してホルダー支持部と連結され、上記トーション部を中心として微細にチルティング運動をする反射体ホルダー部
を含むことを特徴とする請求項２４に記載のチルティングアクチュエータ。
【請求項２６】
上記トーション部は、
上記反射体ホルダー部の下面に一体に具備される中央固定本体と上記中央固定本体の左右両端から水平方向へ延長され、上記開口部の内部面に一体に連結される左右翼からなることを特徴とする請求項２５に記載のチルティングアクチュエータ。
【請求項２７】
上記中央固定本体は、上記左右翼の幅より広い幅で具備されることを特徴とする請求項２６に記載のチルティングアクチュエータ。
【請求項２８】
上記左右翼は、上記ホルダー支持部の板厚と互いに異なった大きさで具備されることを特徴とする請求項２６に記載のチルティングアクチュエータ。
【請求項２９】
上記中央固定本体は、上記ホルダー支持部と上記反射体ホルダー部間に所定大きさの間隔を形成できるように、上記ホルダー支持部の板厚より大きい大きさで具備されることを特徴とする請求項２６に記載のチルティングアクチュエータ。
【請求項３０】
上記ホルダー支持部と上記反射体ホルダー部は、上記トーション部を媒介にして互いに異なった平面上に配置されることを特徴とする請求項２６に記載のチルティングアクチュエータ。
【請求項３１】
上記ホルダー支持部と反射体ホルダー部間との間隔は、上記トーション部の中央固定本体の厚みによって規制されることを特徴とする請求項３０に記載のチルティングアクチュエータ。
【請求項３２】
上記トーション部は、上記反射体ホルダー部の左右外部面からそれぞれ水平に延長され、上記ホルダー支持部の開口部に繋がることを特徴とする請求項２５に記載のチルティングアクチュエータ。
【請求項３３】
上記ホルダー支持部、上記トーション部及び上記反射体ホルダー部は互いに等しい平面上に配置されることを特徴とする請求項３２に記載のチルティングアクチュエータ。
【請求項３４】
上記ホルダー支持部と上記反射体ホルダー部間との間隔は、上記トーション部の長さによって規制されることを特徴とする請求項３３に記載のチルティングアクチュエータ。
【請求項３５】
上記チルティング部はホルダー支持部、上記ホルダー支持部の上側または下側に繋がるトーション部、及び上記トーション部を左右両側に一体に備え、上記トーション部を中心に微細にチルティング運動をする反射体ホルダー部を含むことを特徴とする請求項２４に記載のチルティングアクチュエータ。
【請求項３６】
上記トーション部は上記ホルダー支持部に固定される外部固定本体と、上記外部固定本体と反射体ホルダー部の左右両端間を一体に連結する外部ネック部とを備えることを特徴とする請求項３５に記載のチルティングアクチュエータ。
【請求項３７】
上記外部固定本体は、上記ホルダー支持部に形成された固定ピンに挿入される固定孔を備えることを特徴とする請求項３６に記載のチルティングアクチュエータ。
【請求項３８】
上記固定孔の左右両側には、上記ホルダー支持部の下部締結孔と一致する上部締結孔を備えることを特徴とする請求項３７に記載のチルティングアクチュエータ。
【請求項３９】
上記固定孔は、上記外部ネック部とほぼ同一な水平線に配置されることを特徴とする請求項３７に記載のチルティングアクチュエータ。
【請求項４０】
上記トーション部は、上記反射体ホルダー部の上部面に開口されたトーション露出部に配置され、上記ホルダー支持部に固定される内部固定本体と、上記内部固定本体とトーション露出部間を一体に連結する内部ネック部で構成されることを特徴とする請求項３５に記載のチルティングアクチュエータ。
【請求項４１】
上記内部固定本体は、上記ホルダー支持部に形成された固定ピンに挿入される固定孔を備えることを特徴とする請求項４０に記載チルティングアクチュエータ。
【請求項４２】
上記固定孔の左右両側には、上記ホルダー支持部の下部締結孔と一致する上部締結孔を備えることを特徴とする請求項４１に記載のチルティングアクチュエータ。
【請求項４３】
上記固定孔は上記内部ネック部とほぼ同一な水平線に配置されることを特徴とする請求項４１に記載のチルティングアクチュエータ。
【請求項４４】
上記トーション露出部は上記内部固定本体とほぼ同一な形状で具備されることを特徴とする請求項４０に記載のチルティングアクチュエータ。
【請求項４５】
上記ホルダー支持部は、上記反射体ホルダー部と対応する本体に所定大きさの開口部を少なくとも一つ備えることを特徴とする請求項３５に記載のチルティングアクチュエータ。
【請求項４６】
上記開口部と対応する反射体ホルダー部の下部面には、コイルが巻線される突出部を備えることを特徴とする請求項４５に記載のチルティングアクチュエータ。
【請求項４７】
上記チルティング部は、弾性復元力を有する金属材を素材として成形される成形物であることを特徴とする請求項２４に記載のチルティングアクチュエータ。
【請求項４８】
上記チルティング部は、弾性復元力を有する樹脂材を素材として成形される成形物であることを特徴とする請求項２４に記載のチルティングアクチュエータ。
【請求項４９】
上記チルティング駆動部は、上記ベースの底面に固定設置される磁界部と上記反射体ホルダー部に固定設置されるコイル部を含むことを特徴とする請求項２４に記載のチルティングアクチュエータ。
【請求項５０】
上記磁界部は、下部端が上記ベースの底面に形成された安着溝に位置固定され、上部は開放され、下部は密閉されたヨークと上記ヨークの内部空間に配置され、一定強さの磁場を発生させる磁石部材を含むことを特徴とする請求項４９に記載のチルティングアクチュエータ。
【請求項５１】
上記ヨークには、上記磁石部材の上部面に安着される上部ヨークを装着することを特徴とする請求項５０に記載のチルティングアクチュエータ。
【請求項５２】
上記コイル部は、反射体ホルダー部に上端が固定され、該磁界部内に挿入配置される一定長さのコイル軸と、上記コイル軸に一定回数巻線され、外部電源と電気的に繋がるコイルを含むことを特徴とする請求項４９に記載のチルティングアクチュエータ。
【発明の詳細な説明】
【技術分野】
【０００１】
本発明はチルティング部材とこれを有するチルティングアクチュエータに関する。より詳しくは、映像反射体を騷音及び震動発生せずに、チルティング駆動させることができ、製造原価を節減することが可能であり、単品に対する性能差がない均一なチルティング特性を得ることができるチルティング部材とこれを有するチルティングアクチュエータに関する。
【背景技術】
【０００２】
一般的にディーエルピー（ＤＬＰ：Ｄｉｇｉｔａｌ  Ｌｉｇｈｔ  Ｐｒｏｃｅｓｓｉｎｇ）映像器機は一般エルシディ（ＬＣＤ：Ｌｉｑｕｉｄ  Ｃｒｙｓｔａｌ  Ｄｉｓｐｌａｙ）映像器機の短所であるピクセルのモザイク現象を除去することにより、原色再現能力をアップさせたもので、事業,教育及び広告のようなプレゼンテーションや、又は映画のようなエンタテイメント等の分野において、高輝度でかつ鮮明な大型カラー画像を得られる。
【０００３】
このようなディーエルピー映像器機は図１２に図示したように、光源のランプ１０と、上記ランプ１０から発光されたビームを集束して照射する集光レンズ２０と、上記集光レンズ２０から集束された白色光をレッドＲ,グリーンＧ及びブルーＢカラーへと色を分離して各フレームあたり１／３ずつ照明するカラーフィル３０と、上記カラーフィル３０から発光する色相別発散光を平行に照射する視準レンズ４０と、上記視準レンズ４０から集束された色相別光に画素別反射角を調節して画像を形成するデジタルミラー反射部（ＤＭＤ:Ｄｉｇｉｔａｌ  Ｍｉｒｒｏｒ  Ｄｅｖｉｃｅ）５０と、上記デジタルミラー反射部５０によって形成された画像をスクリーンＳに大画面として投射する投射レンズ６０を含んで構成される。
【０００４】
上記デジタルミラー反射部５０においては、シリコンウェーハ上に一つのピクセルを担当するように微細な大きさを有する複数のマイクロデジタルミラー（不図示）を二次元的に備え、上記マイクロデジタルミラーはハードウェア及びソフトウェア制御機によって、デジタルミラー反射部５０に提供されるデジタル情報により個別的に非常に早い速度でチルティング運動されながら入射された光の経路を二つの状態（オン（ｏｎ）/オフ（ｏｆｆ））へと転換させる。
【０００５】
そして、上記デジタルミラー反射部５０において、個別的にそれぞれ制御されたピクセルからなる小型原画像は上記投射レンズ６０を通して拡がり、スクリーンＳに大画面として結像される。
【０００６】
一方、ＤＬＰ方式を採用した映像器機は小さな大きさの原画像を拡大投射し、大画面として結像するものとして、原画像に比べ画質が衰えてしまう問題点があり、早い画像や視聴者の視野が素早く動く場合、例えば白地に黒い縞模様のようなコントラス比が大きい所において、虹光の色相が目立ったり、視野の早い移動により各画素間の格子柄が著しく認識され、スクリーンに結像される大画面の画質が低下される問題があった。
【０００７】
これによって、上記スクリーンに結像される画面の解像度を高めるために、上記デジタルミラー反射部に反射され、投射レンズを通して拡大された後、上記スクリーン側へ入射される光の角度を微細に調整して錯視現象を引き起こすように、光を０．０１６７秒の短い時間の間隔を置いて、周期的に反射させる映像反射体を微細にチルティングさせるチルティングアクチュエータをデジタルミラー反射部５０と投射レンズ６０の間に備える。
【０００８】
しかし、このような従来のチルティングアクチュエータにおいては、映像反射体を繰り返してチルティング駆動させるチルティング構造物の嵩が大きくて重いので、チルティング動作時の駆動力が過多に必要となり、騷音及び震動が発生されて精密度を低下させ、組み立て構造が複雑で製造原価を上昇させる一方、単品に対する性能差があって製品間に均一なチルティング特性が得られない問題があった。
【発明の開示】
【発明が解決しようとする課題】
【０００９】
本発明は、上記の課題を解消するために、映像反射体を騷音及び震動発生せずに、チルティング駆動させることができ、製造原価を節減することが可能であり、単品に対する性能差がない均一なチルティング特性を得ることができるチルティング部材とこれを有するチルティングアクチュエータを提供する。
【課題を解決するための手段】
【００１０】
上記のような目的を果たすための技術的な構成として、本発明は、所定大きさの開口部が少なくとも一つ形成されたホルダー支持部、上記開口部から延長されて繋がったトーション部、及び上記トーション部を通してホルダー支持部と繋がり、上記トーション部を中心に微細にチルティング運動をする反射体ホルダー部を含むチルティング部材を提供する。
【００１１】
好ましくは、上記トーション部は上記反射体ホルダー部の下面に一体に具備される中央固定本体と、上記中央固定本体の左右両端から水平方向へ延長され、上記開口部の内部面に一体に連結される左右翼からなる。
【００１２】
より好ましくは、上記中央固定本体は上記左右翼の幅より広い幅で具備される。
【００１３】
より好ましくは、上記左右翼は上記ホルダー支持部の板厚と互いに異なった大きさで具備される。
【００１４】
より好ましくは、上記中央固定本体は上記ホルダー支持部と上記反射体ホルダー部の間に所定大きさの間隔を形成できるように、上記ホルダー支持部の板厚より大きい大きさで具備される。
【００１５】
より好ましくは、上記ホルダー支持部と上記反射体ホルダー部は上記トーション部を媒介にして互いに異なった平面上に配置される。
【００１６】
より好ましくは、上記ホルダー支持部と上記反射体ホルダー部間との間隔は上記トーション部の中央固定本体の厚さによって規制される。
【００１７】
好ましくは、上記トーション部は上記反射体ホルダー部の左右外部面から水平へ延長され、上記ホルダー支持部の開口部に繋がる。
【００１８】
より好ましくは、上記ホルダー支持部、上記トーション部及び上記反射体ホルダー部は互いに等しい平面上に配置される。
【００１９】
より好ましくは、上記ホルダー支持部と上記反射体ホルダー部間との間隔は上記トーション部の長さによって規制される。
【００２０】
好ましくは、上記反射体ホルダー部は上部面に映像反射体を搭載する。
【００２１】
また、本発明はホルダー支持部、上記ホルダー支持部の上側又は下側に繋がるトーション部、及び上記トーション部を左右両側に一体に備え、上記トーション部を中心に微細にチルティング運動をする反射体ホルダー部を含むチルティング部材を提供する。
【００２２】
好ましくは、上記トーション部は上記ホルダー支持部に固定される外部固定本体と、上記外部固定本体と反射体ホルダー部の左右両端間を一体に連結する外部ネック部とを備える。
【００２３】
より好ましくは、上記外部固定本体は上記ホルダー支持部に形成された固定ピンに挿入される固定孔を備える。
【００２４】
より好ましくは、上記固定孔の左右両側には上記ホルダー支持部の下部締結孔と一致する上部締結孔を備える。
【００２５】
より好ましくは、上記固定孔は上記外部ネック部とほぼ同一な水平線に配置される。
【００２６】
好ましくは、上記トーション部は上記反射体ホルダー部の上部面に開口されたトーション露出部に配置され、上記ホルダー支持部に固定される内部固定本体と、上記内部固定本体とトーション露出部間を一体に連結する内部ネック部で構成される。
【００２７】
より好ましくは、上記内部固定本体は上記ホルダー支持部に形成された固定ピンに挿入される固定孔を備える。
【００２８】
より好ましくは、上記固定孔の左右両側には上記ホルダー支持部の下部締結孔と一致する上部締結孔を備える。
【００２９】
より好ましくは、上記固定孔は上記内部ネック部とほぼ同一な水平線に配置される。
【００３０】
より好ましくは、上記トーション露出部は上記内部固定本体とほぼ同一な形状で具備される。
【００３１】
好ましくは、上記ホルダー支持部は上記反射体ホルダー部と対応する本体に所定大きさの開口部を少なくとも一つ備える。
【００３２】
好ましくは、上記反射体ホルダー部は上部面に映像反射体を搭載する。
【００３３】
また、本発明は内部空間を有するベース、上記ベース内に微細にチルティング運動ができるように配置され、上部面に映像反射体が搭載されるチルティング部、及び上記チルティング部内に水平に具備されるトーション部を中心として上記反射体ホルダー部を左右へ微細にチルティング運動させることができるように、上記反射体ホルダー部に外力を提供するチルティング駆動部を含むチルティングアクチュエータを提供する。
【００３４】
好ましくは、上記チルティング部は所定大きさの開口部が少なくとも一つ形成されたホルダー支持部、上記開口部から延長されて繋がったトーション部、及び上記トーション部を通してホルダー支持部と繋がり、上記トーション部を中心に微細にチルティング運動をする反射体ホルダー部を含む。
【００３５】
より好ましくは、上記トーション部は上記反射体ホルダー部の下面に一体に具備される中央固定本体と、上記中央固定本体の左右両端から水平方向へ延長され、上記開口部の内部面に一体に連結される左右翼で形成される。
【００３６】
より好ましくは、上記中央固定本体は上記左右翼の幅より広い幅で具備される。
【００３７】
より好ましくは、上記左右翼は上記ホルダー支持部の板厚と互いに異なった大きさで具備される。
【００３８】
より好ましくは、上記中央固定本体は上記ホルダー支持部と上記反射体ホルダー部間に所定大きさの間隔を形成できるように、上記ホルダー支持部の板厚より大きい大きさで具備される。
【００３９】
より好ましくは、上記ホルダー支持部と上記反射体ホルダー部は上記トーション部を媒介にして互いに異なった平面上に配置される。
【００４０】
より好ましくは、上記ホルダー支持部と反射体ホルダー部間の間隔は上記トーション部の中央固定本体の厚さによって規制される。
【００４１】
より好ましくは、上記トーション部は上記反射体ホルダー部の左右外部面からそれぞれ水平に延長され、上記ホルダー支持部の開口部に繋がる。
【００４２】
より好ましくは、上記ホルダー支持部、上記トーション部及び上記反射体ホルダー部は互いに等しい平面上に配置される。
【００４３】
より好ましくは、上記ホルダー支持部と上記反射体ホルダー部間との間隔は上記トーション部の長さによって規制される。
【００４４】
好ましくは、上記チルティング部はホルダー支持部、上記ホルダー支持部の上側又は下側に繋がるトーション部、及び上記トーション部を左右両側に一体に備え、上記トーション部を中心として微細にチルティング運動をする反射体ホルダー部を含む。
【００４５】
より好ましくは、上記トーション部は上記ホルダー支持部に固定される外部固定本体と、上記外部固定本体と反射体ホルダー部の左右両端間を一体に連結する外部ネック部とを備える。
【００４６】
より好ましくは、上記外部固定本体は上記ホルダー支持部に形成された固定ピンに挿入される固定孔を備える。
【００４７】
より好ましくは、上記固定孔の左右両側には上記ホルダー支持部の下部締結孔と一致される上部締結孔を備える。
【００４８】
より好ましくは、上記固定孔は上記外部ネック部とほぼ同一な水平線に配置される。
【００４９】
より好ましくは、上記トーション部は上記反射体ホルダー部の上部面に開口されたトーション露出部に配置され、上記ホルダー支持部に固定される内部固定本体と、上記内部固定本体とトーション露出部間を一体に連結する内部ネック部で構成される。
【００５０】
より好ましくは、上記内部固定本体は上記ホルダー支持部に形成された固定ピンに挿入される固定孔を備える。
【００５１】
より好ましくは、上記固定本体の左右両側には上記ホルダー支持部の下部締結孔と一致する上部締結孔を備える。
【００５２】
より好ましくは、上記固定孔は上記内部ネック部とほぼ同一な水平線に配置される。
【００５３】
より好ましくは、上記トーション露出部は上記内部固定本体とほぼ同一な形状で具備される。
【００５４】
好ましくは、上記ホルダー支持部は上記反射体ホルダー部と対応する本体に所定大きさの開口部を少なくとも一つ備える。
【００５５】
より好ましくは、上記開口部と対応する反射体ホルダー部の下部面にはコイルが巻線される突出部を備える。
【００５６】
好ましくは、上記チルティング部は弾性復元力を有する金属材を素材として成形される成形物である。
【００５７】
好ましくは、上記チルティング部は弾性復元力を有する樹脂材を素材として成形される成形物である。
【００５８】
好ましくは、上記チルティング駆動部は上記ベースの底面に固定設置される磁界部と上記反射体ホルダー部に固定設置されるコイル部を含む。
【００５９】
より好ましくは、上記磁界部は下部端が上記ベースの底面に形成された安着溝に位置固定され、上部は開放され、下部は密閉されたヨークと、上記ヨークの内部空間に配置され、一定強さの磁場を発生させる磁石部材を含む。
【００６０】
より好ましくは、上記ヨークには上記磁石部材の上部面に安着される上部ヨークを装着する。
【００６１】
より好ましくは、上記コイル部は反射体ホルダー部に上端が固定され、該磁界部内に挿入配置される一定長さのコイル軸と、上記コイル軸に一定回数巻線され外部電源と電気的に繋がるコイルを含む。
【発明の効果】
【００６２】
上述したような本発明によると、映像反射体が搭載される反射体ホルダー部に一体に繋がったトーション部をホルダー支持部に連結することにより、直上方へ加えられる外力によって拗じれられるトーション部を基準として映像反射体を有する反射体ホルダー部を繰り返して往復チルティングさせることができるので、騷音及び震動発生せずに、映像反射体のチルティング駆動をより円滑に行うことができ、製造原価を節減することが可能である。
【００６３】
そして、スクリーンに結像される光の経路を転換させるように、チルティングされる映像反射体の平面図を精密に且つ簡単に調節することができるので、優れた品質の画質が得られる。
【００６４】
本発明は特定の実際例に関連して、図示し説明したが、以下の特許請求範囲によって用意される本発明の精神や程野を外れない限度内で本発明が多様に改造及び変化できることを当業係において、通常の知識を持っている人は容易に程かることを明らかにする。
【発明を実施するための最良の形態】
【００６５】
以下、添付された図面によって本発明をより詳細に説明すると次のようである。
【００６６】
図1は、本発明によるチルティング部材の第1実施例を図示したものとして、図1ａは下部から見た斜視図であり、図1ｂは上部から見た斜視図であり、図２は本発明によるチルティング部材の第１実施例を図示した縦断面図である。
【００６７】
本発明のチルティング部材１０１は、図1ａ、ｂと図２に図示したように、一体に成型され、外力によって左右へ往復チルティング運動を繰り返して行われるものとして、ホルダー支持部１２０、トーション部１３０及び反射体ホルダー部１４０を含んで構成される。
【００６８】
すなわち、上記ホルダー支持部１２０は上部面に中央領域に所定大きさの開口部１２１を貫通形成し、後述するベース１１０に組立てされる四角板状の支持構造物である。
【００６９】
このような開口部１２１は四角板状のホルダー支持部１２０と同様に四角断面状として形成され、上記開口部１２１の内部面にはこれを通して下部へ露出するトーション部１３０が一体に具備される。
【００７０】
上記ホルダー支持部１２０の外枠には、上記ベース１１０と複数個の締結部材を媒介にして組み立てるように、複数個の締結孔１２２を備える。
【００７１】
また、上記トーション部１３０は上記ホルダー支持部１２０と反射体ホルダー部１４０の間を一体に連結しながら、下部から提供される外力によって水平軸を中心として拗じれられた後、弾性復元力を提供する連結部材である。
【００７２】
このようなトーション部１３０は上記反射体ホルダー部１４０の下部面に一体に具備される中央固定本体１３２と、上記中央固定本体１３２の左右両端から一定長さ程水平方向へ延長され、上記開口部１２１の内部面に一体に連結される左右翼１３１、１３３を含んで構成される。
【００７３】
ここで、上記中央固定本体１３２と左右翼１３１、１３３は同一な幅の大きさを取り揃えて具備されることもできるが、ねじり変形時より大きい弾性復元力を得られるように、上記左右翼１３１、１３３は上記中央固定本体１３２の幅Ｗ１よりは狭い幅Ｗ２で具備されることが望ましい。
【００７４】
上記中央固定本体１３２は上記開口部１２１の真中に配置される直方体上の構造物であり、上記左右翼１３１、１３３は上記中央固定本体１３２の左右両端から水平方向へ一定長さ程延長され、上記開口部１２１の内部面に一体に連結される四角断面上の延長バー（ｂａｒ）である。
【００７５】
上記中央固定本体１３２から左右両側へ延長される左右翼１３１、１３３は互いに同一な形成長さで具備され、その形成厚みはねじり変形がより容易に行われるように上記ホルダー支持部１２０の板厚より薄い断面上に具備されることが望ましいが、ここに限定されるのではなく、上記ホルダー支持部１２０の板厚と同一な大きい大きさで具備されることもできる。  
【００７６】
上記中央固定本体１３２の形成厚みには、上記ホルダー支持部１２０と反射体ホルダー１４０の間に一定大きさの間隔Ｇを形成できるように、上記開口部１２１が形成されるホルダー支持部１２０の板厚より大きく備えられなければならず、上記中央固定本体１３２の厚さ変化によって、上記ホルダー支持部１２０と反射体ホルダー部１４０間との間隔Ｇを適切に規制することが可能である。
【００７７】
ここで、上記ホルダー支持部１２０と上記反射体ホルダー部１４０は、上記トーション部１３０を媒介にして高さの差を置いて、互いに異なった平面上に配置される。
【００７８】
また、上記反射体ホルダー部１４０は上部面に映像反射体Ｍを水平に搭載し、上記トーション部１３０が一体で具備される四角板状の構造物である。
【００７９】
このような反射体ホルダー部１４０は上記トーション部１３０の中央固定本体１３２の上部面に下部面が一体に連結され、左右両端には上部面に締結孔１４６が形成された垂直ブロック１４２をそれぞれ一定高さで備える。
【００８０】
上記反射体ホルダー部１４０の上部面には後述するチルティング駆動部１５０が繋がる連結孔１４４ａ、１４４ｂを上記トーション部１３０を中心に左右対称構造に貫通形成し、上記連結孔１４４ａ、１４４ｂの付近には補助連結孔１１４ｃ、１１４ｄをそれぞれ貫通形成する。
【００８１】
上記反射体ホルダー部１４０の外枠上部面には上記固定部材１４３によって、上記反射体ホルダー部１４０上に位置固定される映像反射体Ｍの下部面と上記反射体ホルダー部１４０の上部面が全体的に接することを防げるように、上記映像反射体Ｍ外枠下部面と上部面が接する複数個の隆起部１４５を一定高さに突き出形成することが望ましい。
【００８２】
上記反射体ホルダー部１４０の上部面に上げられる映像反射体Ｍは図８に図示したように、上記締結孔１４６に締結される締結部材１４７によって、上記垂直ブロック１４２の上端に固定部材１４３を組み立てることにより上記映像反射体Ｍを反射体ホルダー部１４０上に水平、垂直方向へ移動せずに、確固に位置固定される。
【００８３】
図３は、本発明によるチルティング部材の第２実施例を図示した斜視図として、本発明のチルティング部材１０１'は上記ホルダー支持部１２０'の上部面任意位置に開口部１２１'を形成し、上記反射体ホルダー部１４０'の左右外部面から水平に高さ変化せずに延長されるトーション部１３０'が上記ホルダー支持部１２０'の開口部１２１'に一体に連結される。
【００８４】
ここで、上記開口部１２１'は上記反射体ホルダー部１４０'をチルティング運動させることができる余裕空間として具備されるように、'?'断面上で切開され除去される貫通部位であり、上記トーション部１３０'のねじり軸を基準にして左右対称構造で具備される。
【００８５】
これによって、上記ホルダー支持部１２０'と上記反射体ホルダー部１４０'との間の間隔は、上記トーション部１３０'の長さによって規制され、上記ホルダー支持部１２０'、上記トーション部１３０'及び上記反射体ホルダー部1４０'は互いに等しい平面上に配置される。
【００８６】
上記反射体ホルダー部1４０'の上部面にも、上記映像反射体Ｍを位置固定できるように、締結孔１４６'が形成された垂直ブロック1４２'を備え、上記映像反射体Ｍが安着される隆起部1４５'が具備される。
【００８７】
図４は、本発明によるチルティング部材の第３実施例に具備される反射体ホルダーを図示したもので、図４ａは上部から見た斜視図であり、図４ｂは下部から見た斜視図であり、図５は本発明によるチルティング部材の第３実施例を図示したものとして図５ａは上部から見た斜視図であり、図５ｂは下部から見た斜視図である。
【００８８】
本発明のチルティング部材１０１ａは、図４ａ、ｂと図５ａ、ｂに図示したように、ホルダー支持部１２０ａ、トーション部１３０ａ及び反射体ホルダー部１４０ａを含んで構成される。
【００８９】
すなわち、上記ホルダー支持部１２０ａは、上部面中央領域に上記反射体ホルダー部１４０ａの下部面を外部へ露出させることができるように所定大きさの開口部１２１ａを少なくとも一つ貫通形成し、ベース１１０に組み立てされる四角板状の支持構造物である。
【００９０】
上記ホルダー支持部１２０ａの外枠には上記ベース１１０と複数個の締結部材を媒介にして組み立てされるように、複数個の締結孔１２２ａを備える。
【００９１】
また、上記トーション部１３０ａは、上記ホルダー支持部１２０ａの上部面に組み立てされるように上記反射体ホルダー部１４０ａの左右両側にそれぞれ一体に具備され、上記反射体ホルダー部１４０ａの下部から提供される外力によって、ねじり変形の際、弾性復元力を提供する連結部材である。
【００９２】
このようなトーション部１３０ａは、上記ホルダー支持部１２０ａの上部面の左右両側に一定高さの突き出して形成された固定ピン１２３ａに挿入される固定孔１３３ａを貫通形成した外部固定本体１３２ａと、上記外部固定本体１３２ａと上記反射体ホルダー部１４０ａの左右両端間を一体に連結する外部ネック部１３１ａとを構成する。
【００９３】
上記固定孔１３３ａの左右両側には、上記ホルダー支持部１２０ａの下部締結孔１２４ａと一致する上部締結孔１３４ａを備えることにより、これに締結される締結部材１３５ａによって上記ホルダー支持部１２０ａと反射体ホルダー部１４０ａは一体に連結される。
【００９４】
ここで、上記ホルダー支持部１２０ａの下部締結孔１２４ａは固定ピン１２３ａのように上記上部締結孔１３４ａに応じて挿入され固定されるピン部材として具備されても良いし、上記外部固定本体１３２ａの下部面は上記ホルダー支持部１２０ａの上部面に接着剤を媒介にして一体に接合されることもできる。
【００９５】
すなわち、上記外部固定本体１３２ａは、上記反射体ホルダー部１４０ａの左右両側にそれぞれ具備される直方体上の構造物であり、上記外部ネック部１３１ａは上記反射体ホルダー部１４０ａの左右両端と対応する外部固定本体１３２ａの一側面から一定長さの水平方向へ延長され、上記反射体ホルダー部１４０ａの左右両端にそれぞれ一体に連結される四角断面上の延長バーである。
【００９６】
上記反射体ホルダー部１４０ａの左右両端と上記外部固定本体１３２ａの間を一体に連結する外部ネック部１３１ａは上記固定孔１３３ａとほぼ同一な水平線上に配置されることが望ましい。
【００９７】
上記外部ネック部１３１ａは、上記外部固定本体１３２ａ、反射体ホルダー部１４０ａと互いに同一な板厚で具備されるか、互いに異なった厚さで具備されることもできる。
【００９８】
また、上記反射体ホルダー１４０ａは上部面に映像反射体Ｍを水平に搭載し、上記トーション部１３０ａが左右両端に一体に具備される四角板状の構造物である。
【００９９】
このような反射体ホルダー部１４０ａは、上部面に締結孔１４６ａが形成された複数個の垂直ブロック１４２ａをそれぞれ一定高さに備える。
【０１００】
上記反射体ホルダー部１４０ａの下部面には、後述するチルティング駆動部１５０のコイル軸１５５が繋がる連結孔を貫通形成することもできるが、上記コイル軸１５５を取り替えることができるように下部へ一定長さ分延長され、コイル１５６が巻かれる少なくとも一つの突出部１４８ａを一体に備えることもできる。
【０１０１】
ここで、上記突出部１４８ａは上記ホルダー支持部１２０ａの開口部１２１ａを通して下部へ露出し、上記チルティング駆動部１５０と繋がる。
【０１０２】
上記反射体ホルダー部１４０ａの外枠の上部面には上記映像反射体Ｍの下部面と上記反射体ホルダー部１４０ａの上部面が全体的に接することを防げるように上記映像反射体Ｍ外枠の下部面と上部面が部分的に接する複数個の隆起部１４５ａを一定高さで突き出して形成することが望ましい。
【０１０３】
図６ａは、本発明によるチルティング部材の第４実施例に具備されるホルダー支持部を図示した斜視図であり、図６ｂは本発明によるチルティング部材の第４実施例に具備される反射体ホルダー部を図示した斜視図であり、図７は本発明によるチルティング部材の第４実施例を図示したもので、図7ａは上部から見た斜視図であり、図7ｂは下部から見た斜視図である。
【０１０４】
本発明のチルティング部材１０１ｂは図６ａ、ｂと７ａ、ｂに図示したように、ホルダー支持部１２０ｂ、トーション部１３０ｂ及び反射体ホルダー部１４０ｂを含んで構成される。
【０１０５】
すなわち、上記ホルダー支持部１２０ｂは上部面に上記反射体ホルダー部１４０ｂを外部へ露出させ得るように、所定大きさの開口部１２１ｂを少なくとも一つ貫通形成し、ベース１１０に組み立てされる四角板状の支持構造物である。
【０１０６】
上記ホルダー支持部１２０ｂの外枠には上記ベース１１０と複数個の締結部材を媒介にして組み立てされるように、複数個の締結孔１２２ｂを備える。
【０１０７】
また、上記トーション部１３０ｂは上記ホルダー支持部１２０ｂの上部面に組み立てされるように、上記反射体ホルダー部１４０ｂの左右両側にそれぞれ一体に具備され、上記反射体ホルダー部１４０ｂの下部から提供される外力によって捩じれた後、弾性復元力を提供する連結部材である。
【０１０８】
このようなトーション部１３０ｂは、上記ホルダー支持部１２０ｂ上部面の左右両側に一定高さで突き出して形成された固定ピン１２３ｂに応じて挿入される固定孔１３３ｂを備え、上記反射体ホルダー部１４０ｂの上部面に開口されたトーション露出部１４９ｂに配置される内部固定本体１３２ｂと、上記内部固定本体１３２ｂと上記反射体ホルダー部１４０ｂの間を一体に連結する内部ネック部１３１ｂとを構成する。
【０１０９】
上記固定孔１３３ｂの左右両側には、上記ホルダー支持部１２０ｂの下部締結孔１２４ｂと一致する上部締結孔１３４ｂを備えることによって、これに締結される締結部材によって上記ホルダー支持部１２０ｂと反射体ホルダー部１４０ｂは一体に連結される。
【０１１０】
ここで、上記下部締結孔１２４ｂは、固定ピン１２３ｂと同じく上記上部締結部１３４ｂに対応挿入されるピン部材に具備されても良いし、上記内部固定本体１３２ｂの下部面は上記ホルダー支持部１２０ｂの上部面に接着剤を媒介にして一体に接合されることもできる。
【０１１１】
上記内部固定本体１３２ｂは、上記反射体ホルダー部１４０ｂのトーション露出部１４９ｂ内に配置される直方体上の構造物であり、上記内部ネック部１３１ｂは上記トーション露出部１４９ｂの内部面に一定長さ分水平方向へ延長され、上記内部固定本体１３２ｂに一体に連結される四角断面上の延長バーである。
【０１１２】
上記内部ネック部１３１ｂは、上記固定孔１３３ｂとほぼ同一な水平線上に配置されることが望ましい。
上記内部ネック部１３１ｂは上記内部固定本体１３２ｂ、反射体ホルダー部１４０ｂと互いに同一な板厚に具備されるか、互いに異なった厚さに具備されることもできる。
【０１１３】
また、上記反射体ホルダー部１４０ｂは上部面に映像反射体Ｍを水平に搭載し、上記トーション部１３０ｂが本体内に一体に具備される四角板状の構造物である。
【０１１４】
このような反射体ホルダー部１４０ａの上部面にも締結孔１４６ｂが形成された複数個の垂直ブロック１４２ｂをそれぞれ一定高さで備える。
【０１１５】
上記反射体ホルダー部１４０ａの下部面には、チルティング駆動部１５０のコイル軸１５５が繋がる連結孔を貫通形成することもできるが、上記コイル軸１５５を取り替えるように下部に一定長さ分延長され、コイル１５６が巻かれることができる少なくとも一つの突出部１４８ｂを一体に備えることもできる。
【０１１６】
ここで、上記突出部１４８ｂは上記ホルダー支持部１２０ｂの開口部１２１ｂを通して下部へ露出し、上記チルティング駆動部１５０と繋がる。
【０１１７】
上記反射体ホルダー部１４０ｂの外枠の上部面には、上記映像反射体Ｍの下部面と上記反射体ホルダー部１４０ｂの上部面が全体的に接することを防げるように上記映像反射体Ｍ外枠の下部面と上部面が部分的に接する複数個の隆起部１４５ｂを一定高さに突き出して形成することが望ましい。
【０１１８】
そして、上記内、外部固定本体１３２ａ、１３２ｂの下部面と対応するホルダー支持部１２０ａ、１２０ｂの上部面には、上記ホルダー支持部１２０ａ、１２０ｂと反射体ホルダー部１４０ａ、１４０ｂの間の間隔が具備できるように突出部を一定高さで形成するか、上記ホルダー支持部１２０ａ、１２０ｂの上部面に組み立てされる内、外部固定本体１３２ａ、１３２ｂの形成厚さを反射体ホルダー部１４０ａ、１４０ｂの厚さより大きくすることが望ましい。
【０１１９】
一方、上記チルティング部材１０１、１０１'、１０１ａ、１０１ｂは金属材を金属加工して製作することもできるが、弾性復元力を有する金属材を素材として成形されるか、樹脂材を素材として成形されることができる。
【０１２０】
図８は、本発明によるチルティングアクチュエータを図示した全体斜視図であり、図９は本発明によるチルティングアクチュエータに採用されるベースのみを縦断面した斜視図であり、図１０は本発明によるチルティングアクチュエータに採用されるベースとチルティング部材のみを縦断面した斜視図である。
【０１２１】
本の発明のチルティングアクチュエータ１００はホルダー支持部１２０、１２０'、１２０ａ、１２０ｂ、トーション部１３０、１３０'、１３０ａ、１３０ｂ及び反射体ホルダー部１４０、１４０'、１４０ａ、１４０ｂで構成されたチルティング部材１０１、１０１'、１０１ａ、１０１ｂ中のいずれかの一つと、ベース１１０、チルティング駆動部１５０を含んで構成されるが、その作用が互に等しいなので、図８乃至１０に図示したように、上記トーション部１３０がホルダー支持部１２０と反射体ホルダー部１４０の間に一体に具備される第１実施例のチルティング部材１０１を基本として説明する。
【０１２２】
上記ベース１１０は、上部が一定大きさで開放された開口部１１１を四角額形状として備え、底面は密閉され一定大きさの内部空間を有する固定構造物であり、内部面には上記ホルダー支持部１３０の外枠に形成された複数個の締結孔１２２と一致するもう一つの締結孔を複数個形成する内部段差１１３を備える。
【０１２３】
ここで、上記内部段差１１３には上記チルティング部材１０１の水平状態を調節し、上記映像反射体Ｍの水平図を上記ベース１１０上部面の基準水平図と互いに一致させるように各辺の中央部に水平調節用下部ネジ孔をそれぞれ形成し、上記下部ねじ孔と対応するホルダー支持部１３０の外枠にも調節ねじが締結される上部ネジ孔１２４をそれぞれ備え、上記調節ねじには上記ホルダー支持部１３０と内部段差間に上、下両断が接して一定強さの弾性力を提供するように水平調節用スプリングを備えることが望ましい。
【０１２４】
一方、上記反射体ホルダー部１４０と上記ベース１１０の底面の間に提供されるチルティング駆動部１５０は上記トーション部１３０を中心にして上記反射体ホルダー部１４０を左右に微細に往復チルティング運動させるように外力を提供する。
【０１２５】
上記チルティング駆動部１５０は磁場を提供する磁界部１５０ａと電気場を提供するコイル部１５０ｂで構成され、上記磁界部１５０ａの磁場と上記コイル部１５０ｂの電気場間の相互作用によって上記反射体ホルダー部１４０の下部面に固定されたコイル部１５０ｂを上下作動させ、上記トーション部１３０を中心として上記反射体ホルダー部１４０の映像反射体Ｍをチルティングさせる。
【０１２６】
上記反射体ホルダー部１４０の下部に配置される左右一対の磁界部１５０ａは上記トーション部１３０を基準として左右対称構造であり、図１０に図示したように配置されるが、これらに限定されず、一側に単独に配置され得る。
【０１２７】
このような磁界部１５０ａはヨーク１５１と磁石部材１５２を含んで構成されており、上記ヨーク１５１は下部端が上記ベース１１０の底面に形成された安着溝１１７に上げられて位置固定され、上部は開放され、下部は密閉され一定大きさの内部空間を有する円筒部材である。
【０１２８】
上記磁石部材１５２は上記ヨーク１５１の内部空間に配置され、一定強さの磁場を発生させるようにＮ、Ｓ極に垂直に着磁された中空円筒状磁石部材である。
【０１２９】
ここで、上記磁石部材１５２は磁束が上記ヨーク１５１側により円滑に流れるように上記ヨーク１５１の底面に環輪型に一定高さの突き出して形成された突き出段差の上部面に安着されることが望ましい。
【０１３０】
そして、上記ヨーク１５１には上記磁石部材１５２とヨーク１５１間の磁束流れをより円滑にできるように上記ヨーク１５１の上部へ挿入され、磁石部材１５２の上部面に安着される中空円筒状上部ヨーク１５３を装着することが望ましい。
【０１３１】
また、上記磁界部１５０ａ内に挿入され、重畳されるコイル部１５０ｂは図１０に図示したように、コイル軸１５５とコイル１５６によって構成されたように、上記コイル軸１５５は上記反射体ホルダー部１４０の上部面に貫通形成された連結孔１４４ａ、１４４ｂに上端が組み立てされ固定される一定長さの軸部材であり、上記コイル１５６は電源印加の際、上記コイル軸１５５に電磁場を形成するように一定回数巻線され、未図示された電源供給部から電源が印加される。
【０１３２】
ここで、上記コイル軸１５５は上記コイル１５６が一定回数捲かれる程度で反射体ホルダー部１４０ａ、１４０ｂの下部面から突き出して形成され、上記磁界部１５０ａ内に配置される突出部に取り替えることもできる。
【０１３３】
一方、上記電源供給部は上記コイル部１５０ｂのコイル１５６と電気的に繋がり、これに外部電源を供給するように上記ベース１１０の下部面に装着される基板部材から具備されることもある。
【０１３４】
上記電源供給部には上記反射体ホルダー部１４０にコイル部１５０ｂが左右一対に具備される場合、これらを相互に上下往復運動させると同時に上記コイル１５６に印加される電流の極性を周期的に交番させる制御部（不図示）を備える。
【０１３５】
これによって、上記反射体ホルダー部１４０の下部に配置された一側コイル部１５０ｂに陽極の電流が供給され、上記コイル部１５０ｂが上昇作動される際、他側コイル部に陰極の電流を供給し、他側コイル部を下降作動させることによって、上記ホルダー支持部１２０に一体に連結されたトーション部１３０を媒介にして繋がった反射体ホルダー部１４０は上記トーション部１３０を中心として左右両側にチルティングされると同時に、これに組み立てされた映像反射体Ｍも同一なチルティング角度で繰り返しチルティングされる。
【０１３６】
上記構成を有するチルティングアクチュエータ１００の作動によって映像反射体Ｍをチルティングさせる動作は電源供給部と電気的に繋がり、反射体ホルダー部１４０とベース１１０の間に左右一対に配置されたコイル部１５０ｂにそれぞれ極性が互いに異なった電流を供給する。
【０１３７】
このような場合、上記反射体ホルダー部１４０に上端が固定された左右一対のコイル軸１５５に一方向に捲かれたコイル１５６にはそれぞれ互いに異なる極性の電流が流れながら、上記コイル軸１５５の周辺に一定強さの磁場を発生させる。
【０１３８】
そして、上記コイル部１５０ｂは一定強さの磁場を発生させるように、ヨーク１５１と磁石部材１５２からなり、上記ベース１１０の底面に装着された左右一対の磁界部１５０ａ内に配置されているので、フレミング左手法則によって一側のコイル部１５０ｂには上方に上昇される外力が発生されるかたわら反対側の他側のコイル部には下方に下降される外力が発生される。
【０１３９】
このような場合、上記反射体ホルダー部１４０は上記ホルダー支持部１２０の開口部１２１に一体で具備されたトーション部１３０の中央固定本体１３２と下部面が一体に具備され、上記中央固定本体１３２の左右両端から延長された左右翼１３１、１３３は固定部材であるベース１１０に位置固定されたホルダー支持部１２０の開口部１２１に一体で連結されているので、上記反射体ホルダー部１４０の一側の下部面から直上方へ外力が伝達する際、上記中央固定本体１３２から延長された左右翼１３１、１３３が強制的に捩れる。
【０１４０】
これによって、上記反射体ホルダー部１４０は水平のトーション部１３０をチルティング中心線にして、一側のコイル軸１５５が上昇され、他側のコイル軸が下降する程、仮想の水平線に対して例えば時計方向に一定角度で傾く。
【０１４１】
これと同時に、上記反射体ホルダー部１４０に一体に具備された映像反射体Ｍも時計方向にチルティングされるので、デジタル反射ミラー部を経って映像反射体Ｍ側に入射される光はチルティングされた反射面に反射され、光経路が転換された後、スクリーン側へ照射される。
【０１４２】
従って、上記電源供給部の制御部によってコイル部１５０ｂに供給される電流方向が先に設定された周期に合わせて交代に供給されると、上記コイル軸１５５の反復的な上下運動がトーション部１３０を基準に左右両側で交代に行われるので、上記反射体ホルダー部１４０と共に映像反射体Ｍのチルティングが10μＳの非常に早い速度で駆動されながらデジタル反射ミラー部を経って映像反射体Ｍ側へ入射される光を画像が結像されるスクリーンに対して上下又は左右方向へと繰り返して転換させることができる。
【０１４３】
すなわち、光源１０によって生成された白色光は図１２に図示したように、カラーフィル３０を経りながら、デジタルミラー反射部５０に表示される映像に同期される色相の光を有するようになり、上記デジタルミラー反射部５０に表示される映像はチルティングアクチュエータ１００の映像反射体Ｍに反射された後、投射レンズ６０に拡がり、スクリーンＳに大画面の映像として表示される。
【０１４４】
これによって、上記チルティングアクチュエータ１００が初期位置にある時、上記スクリーンＳに映写される映像は図１１aに実線で図示されたa映像として表示される。
このような状態において、上記チルティングアクチュエータ１００に供給される外部電源によってチルティング駆動部１５０の磁界部１５０ａを駆動させ、反射体ホルダー部１４０に繋がったコイル軸１５５を上下へ繰り返し作動させると、上記反射体ホルダー部１４０が所定のチルティング角度にチルティングされながら、これに具備された映像反射体Ｍも微細なチルティング角度でチルティングされるので、上記スクリーンＳに表示される映像は図１１ｂに図示したようにスクリーンＳ上に微細に移動し、点線で図示したようにｂ映像で表示される。
【０１４５】
続いて、上記チルティング駆動部１５０の周期的な繰り返し動作によって、上記ａ映像とｂ映像を０．０２秒以下の短い時間の間隔を置いて周期的に繰り返してスクリーンＳに表示すれば、これを視聴する人間の視覚機能は図１１ａ、ｂのa映像とb映像が重なって見える図１１ｃのｃ組合映像として認識する。
【０１４６】
このような場合、上記チルティングアクチュエータ１００による映像の移動量が元々画素の大きさの垂直高さｐの半分大きさであるｐ/２の場合、上記ａ映像とｂ映像は半程画素程度で重なるようになり、視覚機能は大きさが半程に減った図１１ｃのｃ組合映像の画素として認識する錯視現象によって映像の実質的な可視解像度が高くなる。
【０１４７】
一方、上記反射体ホルダー部１４０上に具備された映像反射体Ｍの水平図が上記ベース１１０上部面の基準水平図と互いに一致しない場合、上記ベース１１０と上記反射体ホルダー部１４０との間に具備される複数個の上、下部水平ネジ孔に締結される調節ねじを用いて上記映像反射体Ｍの水平図を調節する。
【図面の簡単な説明】
【０１４８】
【図１】本発明によるチルティング部材の第１実施例を図示したものであり、図１ａは下部から見た斜視図であり、図１ｂは上部から見た斜視図である。
【図２】本発明によるチルティング部材の第１実施例を図示した縦断面図である。
【図３】本発明によるチルティング部材の第２実施例を図示した斜視図である。
【図４】本発明によるチルティング部材の第３実施例に具備された反射体ホルダーを図示したものであり、図4ａは下部から見た斜視図であり、図4ｂは上部から見た斜視図である。
【図５】本発明によるチルティング部材の第３実施例を図示する。図５ａは上部から見た斜視図であり、図５ｂは下部から見た斜視図である。
【図６】図６ａは本発明によるチルティング部材の第３実施例に具備されるホルダー支持部を図示した斜視図である。図６ｂは本発明によるチルティング機構の第３実施例に具備される反射体を図示した斜視図である。
【図７】本発明によるチルティング部材の第３実施例に具備される反射体ホルダーを図示したものであり、図７ａは下部から見た斜視図、図７ｂは上部から見た斜視図である。
【図８】本発明によるチルティングアクチュエータを図示した全体斜視図である。
【図９】本発明によるチルティングアクチュエータに採用されるベースのみを縦断面した斜視図である。
【図１０】本発明によるチルティングアクチュエータに採用されるベースとチルティングのみを縦断面した斜視図である。
【図１１】本発明によるチルティングアクチュエータによりチルティングされ、スクリーンに表れる映像を図示した概略図である。
【図１２】デジタル反射ミラーを用いた大型映像機器を図示した構成図である。
【符号の説明】
【０１４９】
１０１  チルティング部材
１１０  ベース
１２０  ホルダー支持部
１２１  開口部
１２２  締結孔
１３０  トーション部
１３２  中央固定本体
１３１  左右翼
１３３  左右翼
１４１  反射体ホルダー部
１４２  垂直ブロック
１４４  連結孔
１４５  隆起部
１５５  チルティング駆動部
１５０ａ  磁界部
１５０ｂ  コイル部
【図１】
2006313301.tif 000003
【図２】
2006313301.tif 000004
【図３】
2006313301.tif 000005
【図４】
2006313301.tif 000006
【図５】
2006313301.tif 000007
【図６】
2006313301.tif 000008
【図７】
2006313301.tif 000009
【図８】
2006313301.tif 000010
【図９】
2006313301.tif 000011
【図１０】
2006313301.tif 000012
【図１１】
2006313301.tif 000013
【図１２】
2006313301.tif 000014